(57)【要約】      （修正有）【課題】ポリスチレン発泡パネルおよびスペーサコネクタを含む蒸散性および熱−音響の放散性を有する型枠に関連するシステムを提供する。【解決手段】型枠（１１）を組み立てるために使用され、かつ少なくとも１つの横材から構成されるスペーサコネクタ（１）に関し、横材はその互いに対向する側端部の両方において、かかる型枠（１１）の少なくとも１つのパネル（１０）との接続状態を形成するのに適した少なくとも１つの接続部分の各々と接続され、スペーサコネクタ（１）はまた、２つの端部開口（１５）の各々を有することを特徴とする少なくとも１つの蒸散ダクトを含み、各々の端部開口（１５）が各々の接続部分の端面上に開口している。【選択図】図２
2018162661.tif 000002
【特許請求の範囲】
【請求項１】
少なくとも１つの横材（３）から構成された可変形状のスペーサコネクタ（１）であって、前記横材（３）が、その互いに対向する側端部の両方において、型枠（１１）の少なくとも１つのパネル（１０）との接続状態を形成するのに適した少なくとも１つの接続部分（５）の各々と接続されており、
可変形状の前記スペーサコネクタ（１）が、２つの端部開口（１５）の各々を有することを特徴とする少なくとも１つの蒸散ダクトをさらに含み、
前記端部開口（１５）のそれぞれが前記各接続部分（５）を貫通し、前記端部開口（１５）間に存在する差圧に応じて作動するのに適した少なくとも１つの逆止装置が前記蒸散ダクトに装備されている
ことを特徴とする、可変形状スペーサコネクタ（１）。
【請求項２】
請求項１に記載のスペーサコネクタ（１）において、前記横材（３）を貫通して前記蒸散ダクトが前記接続部分（５）の間を延伸するパイプ（１７）から少なくともなることを特徴とする、スペーサコネクタ（１）。
【請求項３】
請求項２に記載のスペーサコネクタ（１）において、前記パイプ（１７）の各端部が、少なくとも１つの追加のロックイン形状部（２１）を接続するために使用される少なくとも１つのネジ（１９）を備え、
前記追加のロックイン形状部（２１）は、前記パネル（１０）の対応する形状部（２３）に嵌合するのに適した構造を有することを特徴とし、
前記ロックイン形状部（２１）のそれぞれに、前記蒸散ダクトの前記端部開口（１５）の各々と対応する少なくとも１つの貫通穴（２５）が装備されている
ことを特徴とする、スペーサコネクタ（１）。
【請求項４】
請求項１に記載のスペーサコネクタ（１）において、前記蒸散ダクトが、少なくとも１つの第１仕切壁（３９）、少なくとも一つの第２仕切壁（４３）および少なくとも１つのヒンジ機構（４９）から構成され、
前記第１仕切壁（３９）は、前記蒸散ダクトの１つの第１半部（４１）を実質的に含み、前記第２仕切壁（４３）は、前記蒸散ダクトの１つの第２半部（４５）を実質的に含み、
前記第１仕切壁（３９）と前記第２仕切壁（４３）は、前記ヒンジ機構（４９）を間に介在させることによって、互いに接続される
ことを特徴とするスペーサコネクタ（１）。
【請求項５】
請求項１に記載のスペーサコネクタ（１）において、前記第１仕切壁（３９）と前記第２仕切壁（４３）が、少なくとも１つの逆止弁（４７）を収容するのに適した収容空間であるウェルを備える
ことを特徴とする、スペーサコネクタ（１）。
【請求項６】
請求項１に記載のスペーサコネクタ（１）において、前記スペーサコネクタ（１）が、前記横材（３）に沿って水平方向にまたは垂直方向に互いに接続可能な少なくとも２つの半部（１ａおよび１ｂ）からなる
ことを特徴とする、スペーサコネクタ（１）。
【請求項７】
請求項６に記載のスペーサコネクタ（１）において、前記半部（１ａおよび１ｂ）の両方の内側に中空部分が設けられている
ことを特徴とする、スペーサコネクタ（１）。
【請求項８】
請求項１に記載のスペーサコネクタ（１）において、前記スペーサコネクタ（１）が、少なくとも前記横材（３）の内側に配置された少なくとも１つの金属コアを含む
ことを特徴とする、スペーサコネクタ（１）。
【請求項９】
請求項１に記載のスペーサコネクタ（１）において、前記パイプ（１７）が金属から作製されることを特徴とする、スペーサコネクタ（１）。
【請求項１０】
請求項８又は請求項９に記載のスペーサコネクタ（１）において、前記スペーサコネクタ（１）が、少なくとも：
センチメートル単位で１５０．００ｃｍに等しい長さ；または
センチメートル単位で１．２５ｃｍの倍数に等しい長さ、
の何れか一方の長さを有することを特徴とする、スペーサコネクタ（１）。
【請求項１１】
請求項１に記載のスペーサコネクタ（１）において、
前記横材（３）が少なくとも１本の補強用の鉄骨（１３）を収容するのに適した少なくとも１つのハウジング座部（９）を特徴部分として有し、前記ハウジング座部（９）が好ましくは互いに２．５ｃｍの配置間隔で配置される
ことを特徴とする、スペーサコネクタ（１）。
【請求項１２】
請求項１１に記載のスペーサコネクタ（１）において、前記スペーサコネクタ（１）において、前記補強用の鉄骨を配置する際の初期の配置間隔を実測値で２．５ｃｍの倍数に等しくなるようにすることで、垂直方向および水平方向の両方で位置決め規制された配置を提供することを特徴とする、スペーサコネクタ（１）。
【請求項１３】
請求項１乃至１２の何れか一項に記載のスペーサコネクタ（１）において、
前記スペーサコネクタ（１）が、モジュール式接続要素（４８）を含み、前記モジュール式接続要素（４８）は、複数の前記スペーサコネクタ（１）を互いに直列に接続するために、前記接続部分（５）の前記接続手段に対応する構造となるように成形されており、
前記モジュール式接続要素（４８）が、互いに接続される前記スペーサコネクタ（１）の前記蒸散ダクトに対応する少なくとも１つの内側チャネルを有する
ことを特徴とする、スペーサコネクタ（１）。
【請求項１４】
請求項１乃至１３のいずれか一項に記載のスペーサコネクタ（１）において、前記接続部分（５）に、少なくとも１つの各除去可能フィン（４７）が備えられ、
前記除去可能フィン（４７）は切込み線（４８）に沿って前記接続部分（５）から取り外すことができることを特徴とする、スペーサコネクタ（１）。
【請求項１５】
請求項１に記載のスペーサコネクタ（１）において、
前記スペーサコネクタ（１）が、前記パネル（１０）間の各接合線における騒音の遮断を保証するために、複数のパネル（１０）を一体的に接合するのに適するように構成され、
前記複数のパネル（１０）は、互いに挿入され、および／またはダブテールにより互いに一体化されるように構成され、前記複数のパネル（１０）の各々は、互いに異なる材料から作製されている、
ことを特徴とする、スペーサコネクタ（１）。
【請求項１６】
モジュール式に構成され、蒸散性および熱−音響の放散性を有する型枠（１１）を作製するためのモジュール式構成システムにおいて、前記モジュール式構成システムが、
請求項１〜請求項１４に記載のパネル（１０）およびスペーサコネクタ（１）を含み、
前記パネル（１０）が前記スペーサコネクタ（１）を間に配置することによって互いに接続され、前記パネル（１０）のそれぞれに、複数のロックイン形状部（２７）が備え付けられ、
前記ロックイン形状部（２７）のそれぞれが各形状部（２３）と一体化され、前記スペーサコネクタ（１）に設けられた前記接続手段および追加のロックイン形状部（２１）を挿入可能とするのに適している
ことを特徴とする、モジュール式構成システム。
【請求項１７】
請求項１６に記載の構成システムにおいて、２つ以上の前記スペーサコネクタ（１）が、対応する接続形状部（３３）を間に配置することによって、互いに対向する前記接続手段の間で接続されることを特徴とする、構成システム。
【請求項１８】
請求項１６に記載の構成システムにおいて、２つ以上の前記パネル（１０）が、対応する接続形状部（３５）を間に配置することによって平面的に互いに接続され、
前記接続形状部（３５）が前記パネル（１０）の対応する前記ロックイン形状部（２７）を充填するように嵌合する
ことを特徴とする、構成システム。
【発明の詳細な説明】
【技術分野】
【０００１】
本発明は、可変形状のスペーサコネクタに関し、特にコンクリートを注入して成る単一体であるセパレータを作製するための型枠を組み立てる際に使用される。さらに、本発明は、そのようなコネクタを含むモジュール型枠システムに関する。
【背景技術】
【０００２】
注目すべきは、型枠は鉄筋コンクリート建造物を建てるために建築業界および建設業界で使用される製造物であるという点である。型枠は、補強用の鉄骨が適切に位置付けられたあと、液状のコンクリートが流し込まれるケーシングを提供する。そして、流し込まれたコンクリートの固化状態が一旦始まると、コンクリートの凝結プロセスが完了するまでコンクリートはケーシング中に存在し続け、それにより、型枠自体が取り外された直後に構造物が耐えなければならない応力の吸収を保証するような機械的強度をコンクリートが得るようになる。
【０００３】
型枠はいくつかの材料から作製可能である。特に、断熱コンクリート型枠（ＩＣＦ：Ｉｎｓｕｌａｔｅｄ  Ｃｏｎｃｒｅｔｅ  Ｆｏｒｍ）と一般に呼ばれる技法を用いて作製されるポリスチレン発泡パネルから、およびそれらの各スペーサコネクタから構成される型枠が現在利用可能であり、それらは、鉄筋コンクリート壁の遮蔽用の型および／または型枠を構成する様々な前述のパネルの組立ておよび内部ブロックに必要な使い捨て可能な物品である。結果として、既存のスペーサコネクタは、別個の、事前にプレス加工された（ｐｒｅ−ｓｔａｍｐｅｄ）金属部材またはプラスチック部材（すなわちＰＶＣまたはＰＰ）、および一度のプレス加工でパネル本体と同時に打抜き成形された部材の両方であり得る。そのようなスペーサコネクタは、国際公開公報第００５８５７７号に記載されている。
【０００４】
しかしながら、既存のスペーサコネクタおよびそれらを用いる既存の型枠システムの各々には、なおもいくつかの問題がある。実際に、一度のプレス加工でスペーサコネクタとパネルが同時に打抜き成形される型枠システムは、輸送の観点で見ると非常に非効率的であることが分かっている。その理由は、それらの幾何学的形状は、大幅に枝分かれした形状であると同時にさらに大部分が空隙から構成されているにことより、全体的に非常に嵩張る体積を成すことを特徴とするからである。
【０００５】
この問題を改善するため、壁のみを建てるための型枠システムが提案され、当該システムは、ポリスチレン発泡パネルと別個のスペーサコネクタとから構成され、それらは、型枠自体が、１０ｃｍから始まる１５ｃｍ−２０ｃｍ−２５ｃｍ−３０ｃｍの５段階の寸法に分けられる公知の中空部分を有することを特徴とするにもかかわらず、（分解された後には）より小さい全体寸法を実現し、かつまた輸送および取扱い費用を最小化することを可能にする。当然、追加の鉄筋コンクリートがそのような中空部分に打設され得る。
【０００６】
米国の製造業者らによって供給される断熱性のコンクリート型枠（Ｉｎｓｕｌａｔｅｄ  Ｃｏｎｃｒｅｔｅ  Ｆｏｒｍ）（またはＩＣＦ）として知られ、ポリスチレン発泡パネルから作られることを特徴とする「使い捨て」式の全ての型枠システムにはさらに蒸散の問題があり、それは、特に民生用建物の場合、結果的に建築された鉄筋コンクリート構造物が、ＳＢＳ（シックハウス症候群）の原因としてよく知られるものをもたらし得る可能性がある。
【０００７】
さらに、ポリスチレン発泡パネルを特徴とする型枠システム（ＩＣＦ）にはさらに、それらが適切に騒音を遮断することができないので、防音性の問題がある。
【０００８】
さらに、ＩＣＦ工法を適用することにより建てられた「使い捨て」型枠内に配置される公知のスペーサコネクタは、１０ｃｍを初期寸法として、５ｃｍの整数倍の寸法となるように延伸することで３０ｃｍの最大長さに到達する標準長さを有することを特徴とする。そのような最大長さは、そのようなコネクタの構造強度の脆弱さに応じて決まる。ＩＣＦ型枠を構成するように互いに向き合う２つのパネル間の幅が３０ｃｍを超えなければならない場合、このような事情により、いくつかのコネクタを、適切な「接合ブライドル」を用いて、入れ子式に直列に相互接続せざるをえなくなってしまうだろう。
【０００９】
さらに、ＩＣＦ工法を適用することにより製造された「使い捨て」式の型枠内に配置される公知のスペーサコネクタは、完全に位置決め規制されていないにもかかわらず、補強用の鉄骨を水平方向において３０ｃｍ刻みでのみ位置決めすることを保証し得る−スペーサコネクタは、そのような鉄骨の垂直方向における拘束されない位置付けを可能にすることができる。なお、棒材の均質な分布配置状態はスペーサコネクタが耐用年数要件および耐火性規格に準拠する石造建築物を完成するための国際技術規格に定められているが、上述したスペーサコネクタによれば、このような棒材の均質な分布配置状態を保証不要な程度まで垂直方向位置の拘束をなくすことができる。
【発明の概要】
【００１０】
従って、本発明の目的は、特に蒸散性および熱−音響の放散性を有する型枠を組み立てるために使用されるスペーサコネクタであって、そのような蒸散性および熱−音響の放散性を有する型枠を構成する内側パネルさらには外側パネルと構造的コンクリート隔壁との間における蒸散を容易にすることを可能し得る少なくとも１つの蒸散ダクトを備えたスペーサコネクタを提供することによって、従来式の方法に関連する上述の問題を解決することである。
【００１１】
本発明の別の目的の一つは、例えば実測寸法で２．５０ｃｍの倍数および１．２５ｃｍの約数に等しい長さを有し、少なくとも１５０．００ｃｍの長さを有するスペーサコネクタが製造および使用されることを可能にし得るような構造強度を確保することを特徴とするスペーサコネクタを提供することであるが、実際に発明を実施するに際しては、そのようなコネクタの長さに制約はない。
【００１２】
本発明の別の目的の一つは、（可能であれば）完全にグリッド配置状の幅広い補強を、そのようなグリッド構造の実測寸法上の制約なしに形成するような方法で、補強用の鉄骨を水平方向および垂直方向において完全に位置決め規制して位置付けることを可能にし得るスペーサコネクタを提供することである。
【００１３】
本発明の別の目的の一つは、ポリスチレン発泡パネルおよびスペーサコネクタを含む蒸散性および熱−音響の放散性を有する型枠に関連するシステムを提供することであり、スペーサコネクタのそれぞれには少なくとも１つの蒸散ダクトが備えられ、その結果、それらがそのような型枠内において上述したパネルの内側と外側の間での蒸散性を実現可能な均質なグリッド構造を形成し得るようにする。
【００１４】
さらに、本発明の別の目的の一つは、好ましくは押出成形されたポリスチレンおよび／またはポリスチレン発泡パネル、ならびにスペーサコネクタを含み、蒸散性および熱−音響の放散性を有する型枠に関連するシステムを提供することであり、スペーサコネクタのそれぞれには少なくとも１つの蒸散ダクトが備えられ、その結果、システムが蒸散性および熱−音響の放散性を有する型枠自体のより良い防音性を達成するために、（異なる材料で作製されてさえいる）いくつかのそのようなパネルの重なり合った接続状態を実現できるようにする。
【００１５】
以後の記載において詳述されるような本発明の上記のおよび他の目的および利点は、蒸散性および熱−音響の放散性を有する型枠とともに使用される可変形状のスペーサコネクタの使用により達成され得、そのようなスペーサコネクタは請求項１の記載において具現化される。
【００１６】
さらに、以後の記載において詳述されるような本発明の上記のおよび他の目的および利点は、全てのその構成要素および／または構成要素のモジュール設計に特徴を有する型枠システムの使用により達成され得、そのようなモジュール式型枠システムは請求項１３の記載において具現化される。
【００１７】
本発明の好ましい実施形態の設計および最初の変形形態は、関連請求項の目的であり得る。
【００１８】
当然のことながら、本発明の保護の範囲から逸脱することなく、添付の請求項中で参照されるような、多数の変形形態および修正形態を記載の物品に対して作ることができる（例えば、形状および寸法、ならびに等価機能を実行する装置および部品に関連する変形形態および修正形態）。
【００１９】
本発明はいくつかの好ましい実施形態により、最も良く記載され得る。好ましい実施形態は、添付の図面を参照して、例として、かつ限定せずに提供され得る。
【図面の簡単な説明】
【００２０】
【図１】図１は、本発明に従うスペーサコネクタの好ましい実施形態の上面斜視図を示す。
【図２】図２は、本発明に従って実施され、図１に示されるタイプの複数のスペーサコネクタを含み、蒸散性および熱−音響の放散性を有する型枠に関連するシステムの一部分の斜視図を示す。
【図３】図３は、本発明に従って実施され、図１に示されるタイプの複数のスペーサコネクタを含み、蒸散性および熱−音響の放散性を有する型枠に関連するシステムの上面図を示す。
【図４】図４は、本発明に従って実施されるコネクタおよび／またはスペーサの別の好ましい実施形態の上面斜視図を示す
【図５】図５は、本発明に従って実施され、図４に示されるタイプのスペーサコネクタを含み、蒸散性および熱−音響の放散性を有する型枠に関連するシステムの組立段階における詳細な上面斜視図を示す。
【図６】図６は、本発明に従い、本発明において参照されるスペーサコネクタの別の好ましい一実施形態を含み、蒸散性および熱−音響の放散性を有する型枠に関連するシステムの上面図を示す。
【図７】図７は、本発明の好ましい変形形態に従って組み立てられ、本発明において参照される複数のスペーサコネクタを含み、本発明に従って実施される蒸散性および熱−音響の放散性を有する型枠に関連するシステムの上面図を示す。
【図８】図８は、本発明において参照されるスペーサコネクタの別の好ましい一実施形態の上面斜視図を示す。
【図９】図９は、本発明において参照されるスペーサコネクタの別の好ましい一実施形態の上面図を示す。
【図１０】図１０は、本発明において参照されるスペーサコネクタの別の好ましい一実施形態の正面斜視図を示す。
【図１１】図１１は、本発明において参照されるスペーサコネクタのさらに好ましい一実施形態の正面斜視図を示す。
【図１２】図１２は、本発明に従う蒸散性および熱−音響の放散性を有する型枠に関連するシステムの実施可能な組立構造における上面図を示す。
【図１３】図１３は、本発明に従う蒸散性および熱−音響の放散性を有する型枠に関連するシステムのさらに別の実施可能な組立構造における上面斜視図を示す。
【図１４】図１４は、本発明に従う型枠システムのさらに他の実施可能な一組立構造における上面斜視図を示す。
【図１５】図１５は、本発明において参照されるスペーサコネクタの好ましい実施形態の上面斜視図を示す。
【図１６】図１６は、本発明において参照されるコネクタの好ましい構成変形形態を（例として、限定せずに）示す。
【図１７】図１７は、本発明において参照されるコネクタの好ましい構成変形形態を（例として、限定せずに）示す。
【図１８】図１８は、本発明において参照されるコネクタの好ましい構成変形形態を（例として、限定せずに）示す。
【図１９】図１９は、本発明において参照されるコネクタの好ましい構成変形形態を（例として、限定せずに）示す。
【図２０】図２０は、本発明において参照されるコネクタの好ましい構成変形形態を（例として、限定せずに）示す。
【発明の実施するための形態】
【００２１】
図面を参照することによって、以下のことを理解することができる。すなわち、本発明において参照される可変形状のスペーサコネクタ１は、少なくとも１つの横材３から構成され、かかる横材３はその２つの両端部が各々の接続部分５とそれぞれ接続され、接続部分５は、蒸散性および熱−音響の放散性を有する型枠１１の少なくとも１つのパネル１０との間の接続状態を形成するのに適している。
【００２２】
生産的に、本発明において参照されるスペーサコネクタ１はまた、２つの端部開口１５の各々を特徴部分とする少なくとも１つの蒸散ダクトを含むことができ、各々の端部開口１５は各々の接続部分５の端面上に開口するようになっている。従って、そのような蒸散ダクトは、パネル１０（２枚のパネル１０の間には本発明にて参照されるスペーサコネクタ１が配置される）を接続するのに適している。さらに、そのような蒸散ダクトは、上記の端部開口１５の間においてはっきり見出される差圧に起因して、特に内側パネルから外側パネルに向かうそのようなパネル１０の間の蒸散を可能とするのに適している。さらに、蒸散ダクトには、少なくとも１つの逆止装置４７（例えば逆止弁など）が装備されていてもよく、逆止装置４７は、上記の差圧に応じて好適に作動する。さらに逆止装置４７は、本発明にて参照されるスペーサコネクタ１を用いて蒸散プロセスおよび飽和蒸気の放出の効率を高めるのに適している。
【００２３】
図１〜図４を参照することで理解できるように、蒸散ダクトは、好ましくは横材３を貫通して接続部分５の間を結ぶように延伸する少なくとも１つのパイプ１７から構成され得る。
【００２４】
さらに、特に図６から理解できるように、そのようなパイプ１７の各端部は、少なくとも１つのネジ１９を特徴部分として有することができる。そして、少なくとも１つの追加のロックイン形状部２１（一般に「ブライドル」と呼ばれる）がネジ１９を介してパイプ１７の各端部に接続可能である。なお、上記ロックイン形状部は、実質的に「Ｔ字型」および／または「Ｈ字型」の形状となるように成形された形状部分を特徴として有する。なおかつ、上記ロックイン形状部２１は、本発明にて参照されるスペーサコネクタ１によって提供される引張強さを増強するためにパネル１０側における対応するロックイン形状部２３に嵌め込まれるのに適している。上記ロックイン形状部２１のそれぞれはまた、蒸散ダクトの端部開口１５の各々に対応する少なくとも１つの貫通穴２５を特徴部分として有する。
【００２５】
代替策として、図１０および図１１から理解できるように、蒸散ダクトは少なくとも１つの第１仕切壁３９および第２仕切壁４３から構成されてもよく、これらの間に配置された少なくとも１つのヒンジ機構４９を介在することによって、第１仕切壁３９は第２仕切壁４３と接続されている。また、第１仕切壁３９は実質的にかかる蒸散ダクトの一方の半円筒部を成す第１半部４１を含み、第２仕切壁４３は、実質的に蒸散ダクト自体の他方の半円筒部を成す第２半部４５を含む。この好ましい変形形態は、蒸散ダクトを構成する構成部品３９および構成部品４３を同時打抜き工程によって一回のプレス加工で作製することが可能であり得るので、本発明にて参照されるスペーサコネクタ１を製造する一連の工程をかなり簡単にすることを生産的に可能にし得る。その後、組立段階の間、第２仕切壁３９を第１仕切壁４３に対して閉鎖して蒸散ダクトを形成することにより、発生した蒸気または凝縮液を外部に円滑に流出させることを可能にすることは本発明の課題解決のために実際に十分な工夫であり得る。さらに、上述の変形形態はまた、蒸散ダクトを実装する仕切壁に沿って、逆止弁をダクト内に収容するのに適した収容空間であるウェル部分を形成し、かつ第２仕切壁４３を第１仕切壁３９に対して閉鎖する前に逆止弁自体をその収容空間内に配置することを可能にし得る。本発明にて参照されるスペーサコネクタ１がプラスチック材料から作製される場合、そのようなプラスチック材料をネッキング（ｎｅｃｋｉｎｇ）する単なる線の形態でヒンジ機構を生産的に実現することができる。
【００２６】
さらに、補強用の鉄骨１３の正確な位置決めを可能にするために、接続部分５に少なくとも１つの各除去可能なフィン４７が装備されてもよく、具体的には、除去可能フィン４７は、切込み線４８に沿って分断することによって、接続部分５から除去することができ、それによって、上記のロックイン形状部５がパネル自体の各ロックイン形状部に一旦挿入されると、蒸散性および熱−音響の放散性を有する型枠１１のパネル１０に沿ってスペーサコネクタ１の高さ位置を変えることを可能とし、さらにスペーサコネクタ１が高い精度まで高さ方向において位置決めされることを可能とすることができる。
【００２７】
当然、蒸散性および熱−音響の放散性を有する型枠１１のパネル１０間で得られる幅に応じて、本発明にて参照されるいくつかのスペーサコネクタ１を、互いに直列に接続することができ、例えば、図１１に例示する例では、モジュール接続要素４８を使用して所望の長さが得られるまでスペーサコネクタ１を直列接続する構成とすることができ、ここで、図１１に示すモジュール接続要素４８は、各々の接続部分５が有する各接続手段に対応するように適切に成形されているものである。そのようなモジュール接続要素４８にはまた、互いに接続された様々なスペーサコネクタ１の蒸散ダクトに対応した内部構造を有し、かつ互いに直列接続されたスペーサコネクタ１の蒸散ダクト間を繋いで連続性をもたらすのに適した少なくとも１つの内側チャネルが好ましくは装備される。
【００２８】
当然、接続部分５には、任意の１つの接続手段が装備されてもよく、それは例えば、少なくとも１つのダブテール形状部７などの機械的接続手段または任意の１つのロックイン形状部５であってもよい。そして、本発明の権利保護範囲から逸脱させることなく、そのような機械的接続手段（５）は、本明細書中にて参照されるスペーサコネクタ１を、１つのパネル１０の対応するロックイン形状部２７と接続可能にすることができる。なお、パネル１０としては、関連工学分野で周知な任意の形態のパネルを用いることができる。特に、ダブテール形状部７の個数および配置は、大幅に変更して実施可能であることにも留意されたい。実際に、本発明の技術的範囲を限定することなく、例示のためにのみ本明細書に添付された図面は、多数の代替実施例を示し、その中では、ダブテール形状部７の個数、寸法および形状は発明の実施に際して変更可能である（例えば、図１に示すスペーサコネクタ１の接続部分５における１つの雄型部材；図４に示すスペーサコネクタ１の接続部分５における２つの雄型部材；図６に示すスペーサコネクタ１の接続部分５における２つの雌型部材）。
【００２９】
特に、横材３には、少なくとも１つの補強用の鉄骨１３を収容するのに適した少なくとも１つのハウジング座部９が装備されてもよい。当然、そのようなハウジング座部９の個数および配置は、本発明の権利保護範囲から逸脱することなく、大幅に変更して実施可能である。実際に、本発明の技術的範囲を限定することなく、例示のためにのみ本明細書に添付された図面は、多数の代替実施例を示し、図面中、ハウジング座部９の個数および配置は発明の実施に際して変更可能である。そのようなハウジング座部９は、好ましくは、互いに２．５ｃｍの配置間隔で配置されるべきであり、その結果、補強用の鉄骨１３を上記のピッチに従って水平に配列することができる。さらに、特に図１３から理解できるように、スペーサコネクタ１は、補強用の鉄骨１３を垂直方向にも位置決め規制して配置することを可能にし、その結果、（関連の国際規格およびＵＮＩ規格に従って用意されたもののような）電気溶接された金属メッシュと同様の幅広い補強を達成することができる。
【００３０】
本発明にて参照されるスペーサコネクタ１を、目的に適した任意の１つの材料−具体的には、ポリプロピレンなどのプラスチック材料（充填材をタルクとすることも可能である）または他の材料から作製できることも明白であるが、本発明の実施に必要な材料はこれらに限定する必要はない。さらに、当然のことながら、本発明の保護の範囲から逸脱することなく、本発明にて参照されるスペーサコネクタ１を、下記の２通りの作成方法の両方に従って作製可能である。第１の方法は、構成部品の全てが１つの単一材料から作製される１つの単一部品としてスペーサコネクタ１を作成する方法である。第２の方法は、互いに異なる材料から作製される互いに別個の部品を作成した後に、これらの部品を組み立ててスペーサコネクタを作成する方法である。
【００３１】
さらに、本発明にて参照されるスペーサコネクタ１を、少なくとも２つの半部（図に示す１ａおよび１ｂ）で構成してもよく、上述した２つの半部（１ａおよび１ｂ）は、異なる材料から作製されてもよい。さらに、上述した２つの半部（１ａおよび１ｂ）は、組立て式のスペーサコネクタ１を構成するために、（図８および図９で例として示されるように）水平または垂直に、横材３に沿って互いに接続することができる。例えば、横材３に沿って２つの半部（１ａおよび１ｂ）を互いに接続する手段として、（必要であれば）プラスチック製のブライドル（不図示）で補強された適切なロックイン形状部２９を用いてもよい。さらに、前述の２つの半部（１ａおよび１ｂ）が、（必要であればモータ駆動可能な）通気装置を収容することができる内側キャビティを特徴部分として有していてもよいことが発明の変形実施形態として想定され得る。これら変形実施形態は、以下の利点を得ることを可能にする：
−各部品１ａおよび１ｂの可能な可逆性、
−輸送時におけるより小さい全体体積、
−横材３に沿って得られる特別な座部の内側に形成されるパイプ１７の簡単な設置。
【００３２】
さらに、本発明中参照されるスペーサコネクタ１の長さは、好ましくはセンチメートル単位で１．２５ｃｍの倍数に等しい長さであり、従って、本発明にて参照されるスペーサコネクタ１の好ましい長さは、例えば１．２５ｃｍ、２．５０ｃｍ、３．７５ｃｍ、５．００ｃｍなどであり得る。少なくとも１つの金属コア（不図示）を、少なくとも横材３に嵌め込むことが生産的に可能であり、そのような金属コアは、本発明にて参照されるスペーサコネクタ１によって提供される引張強度および剛性をさらに高めるのに適している。代替手段として、または追加的な手段として、スペーサコネクタ１をなおも構造的に補強するために、パイプ１７は好ましくは金属から作製される。金属コアおよび／または金属パイプ１７の存在により、限定せずに、少なくとも１５０．００ｃｍの長さを有することを特徴とする（本発明にて参照されるような）必要な構造的信頼性のあるスペーサコネクタ１を作製および使用することが生産的に可能になり得る。
【００３３】
本発明にて参照されるコネクタ１の（図１５に示される）代替実施形態から理解できるように、蒸散ダクトを含むパイプが目的に適した構造強度を特徴とする材料から作製される場合、パイプ自体が横材３の機能を代行し得る。ここでまた、パイプ／横材３の各端部には、少なくとも１つのネジ部が備えられていてもよく、このネジ部によって、スペーサコネクタ１をパネル１０の各形状部に螺合により挿入できるようにするために、実質的に「Ｔ字型」および／または「Ｈ字型」の形状となるように成形される形状部分を特徴として有する少なくともロックイン形状部（５１）を接続することができる。
【００３４】
さらに、本発明は、モジュール式の構成を有し、蒸散性と熱−音響の放散性を有する型枠１１を作製する動的構成システムに関し、この動的構成システムは、任意の１つの材料から作製されたパネル１０および上述したような構成のスペーサコネクタ１を含む。特に、図面を参照することによって、本発明にて参照される動的構成システムは、パネル間に上記のスペーサコネクタ１を配置することによって互いに接続される少なくとも２つのパネル１０を含み、各パネル１０は、好ましくはポリウレタンおよび／またはポリウレタン発泡型のパネルであってもよいことを理解することができる。従って、各パネル１０には、好ましくは、複数のロックイン形状部２７が装備され、それらの各々は、（必要であれば）ロックイン形状部２３の各々とも一体化した形で設けられ得る。つまり、（図４および図５に示される例に従うならば）そのようなロックイン形状部２７に対して、本発明にて参照されるスペーサコネクタ１の接続手段５を挿入可能であるだけでなく、もし必要であれば、スペーサコネクタ１に対して追加的に設けられるロックイン形状部２１の接続手段を追加のロックイン形状部２３にさらに挿入可能となるように構成可能である。パネル１０側におけるロックイン形状部２３、２７の個数および配置、ならびに蒸散性と熱−音響の放散性を有する型枠１１を作製するために使用されるスペーサコネクタ１の個数および配置は、音響吸収性能および放熱性能の両方に関連する様々な特定構成要件に完全に適合するために、生産的に大幅に変更して実施可能であることに留意されたい。さらに、各パネル１０には、関連工学分野で共通して知られるような、積層によっていくつかのパネル１０自体と係合することを可能にするのに適した複数の係合歯部３７が装備されてもよい。
【００３５】
また、例のみによって、および図７の例を参照することによって、蒸散性と熱−音響の放散性を有する型枠１１の側面を構成するパネル１０間に配置される空間は、そのようなパネル１０間に本発明にて参照される２つ以上のスペーサコネクタ１を単に配置することによって寸法を変えることができ、例えばパネル１０は、互いに向き合う接続手段の間に対応する接続形状部３３を介装することによって接続され、接続形状部３３の形状は、例えば、そのようなスペーサコネクタ１自体の接続部分５に見出される（もしあれば）ダブテール形状部７と対応する形状となるように適切に成形されることに留意されたい。
【００３６】
さらに、特に図１２および図１４から理解できるように、本発明にて参照される動的構成システムは、蒸散性と熱−音響の放散性を有する型枠１１の壁厚を増し、さらにそのようなパネル１０間の接合線に沿った騒音の遮断性を増大するために、２つ以上のパネル１０を、同じ層に配置し、もし必要であれば、異なる材料（例えば、木、ＭＤＦ、れんが、粉砕された破片、石、コンクリートウッド（ｃｏｎｃｒｅｔｅ  ｗｏｏｄ）、気泡コンクリートなど）から作製された他の層５０間に配置することによって、互いに平面的に接続することを可能にする。ここでまた、いくつかのパネルは、対応する接続形状部３５を間に配置することによって、平面的に互いに接続されてもよく、その接続形状部はパネル１０自体の対応するロックイン形状部２７を満たす。
【００３７】
本発明にて参照されるモジュール式構成システムは、従って、スペーサコネクタ１およびパネル１０を使用することによって、以下の利点を得ることを可能にし得る。
−任意の一形態を特徴とし、かつ任意の一建築構造、すなわち、最も変化する単一の組積造形状の土台、および／または一方向性および双方向性ロフトおよび一方向性および双方向性単一体スラブを建てるための蒸散性と熱−音響の放散性を有する型枠１１を作製する際の最善のモジュール設計、
−スペーサコネクタ１の蒸散ダクト間の協働、およびパネル１０間の接合線により作られる水平方向および垂直方向に広がる蒸散グリッド構造の形成、
−英語表現「フラット型  ＩＣＦ」として知られる工法に特有な型枠の使用に代わる、結果として非単一体の梁ネットワーク構造を得る打設を可能にし得る蒸散性と熱−音響の放散性を有する型枠１１を作製可能である。
【００３８】
図１６〜図２０は、本発明にて参照されるスペーサコネクタ１の好ましい変形形態を（これらに限定しないで）示す。
【図１】
2018162661.tif 000003
【図２】
2018162661.tif 000004
【図３】
2018162661.tif 000005
【図４】
2018162661.tif 000006
【図５】
2018162661.tif 000007
【図６】
2018162661.tif 000008
【図７】
2018162661.tif 000009
【図８】
2018162661.tif 000010
【図９】
2018162661.tif 000011
【図１０】
2018162661.tif 000012
【図１１】
2018162661.tif 000013
【図１２】
2018162661.tif 000014
【図１３】
2018162661.tif 000015
【図１４】
2018162661.tif 000016
【図１５】
2018162661.tif 000017
【図１６】
2018162661.tif 000018
【図１７】
2018162661.tif 000019
【図１８】
2018162661.tif 000020
【図１９】
2018162661.tif 000021
【図２０】
2018162661.tif 000022
【外国語明細書】
2018162661.tif 000023
2018162661.tif 000024
2018162661.tif 000025
2018162661.tif 000026
2018162661.tif 000027
2018162661.tif 000028
2018162661.tif 000029
2018162661.tif 000030
2018162661.tif 000031
2018162661.tif 000032
2018162661.tif 000033
2018162661.tif 000034
2018162661.tif 000035
2018162661.tif 000036
2018162661.tif 000037
2018162661.tif 000038
2018162661.tif 000039
2018162661.tif 000040
2018162661.tif 000041
2018162661.tif 000042
2018162661.tif 000043
2018162661.tif 000044
2018162661.tif 000045
2018162661.tif 000046
2018162661.tif 000047
2018162661.tif 000048
2018162661.tif 000049
2018162661.tif 000050
2018162661.tif 000051
2018162661.tif 000052
2018162661.tif 000053
2018162661.tif 000054
2018162661.tif 000055
2018162661.tif 000056
2018162661.tif 000057
2018162661.tif 000058
2018162661.tif 000059
2018162661.tif 000060
2018162661.tif 000061
2018162661.tif 000062
2018162661.tif 000063
2018162661.tif 000064
2018162661.tif 000065
2018162661.tif 000066
2018162661.tif 000067
2018162661.tif 000068